(57)【要約】   集塵装置のメンテナンス時にかかる使用者への負担を軽減することができる電気掃除機を提供する。  電気掃除機は、電動送風機(30)を内蔵した駆動装置(10)と、駆動装置に着脱可能に装着される集塵装置(50)とを有する掃除機本体(1)を備える。集塵装置は、ダストカップ(60)と、ダストカップに着脱可能に装着される連動機構(90)とを備える。連動機構は、ダストカップの軸心方向に往復動可能に取り付けられたハンドル部(92)と、ハンドル部の軸心方向の往復動作によって揺動するロック爪(91b)とを有し、駆動装置は、集塵装置が装着される集塵装置装着部(12)と、集塵装置装着部に設けられた係合凹部(11g)とを有する。そして、集塵装置装着部に装着された集塵装置のロック爪に係合凹部が係合し、ハンドル部を軸心方向に引くことによってロック爪が揺動して係合凹部から離脱するように構成されている。
2019026308.tif 000002
【特許請求の範囲】
【請求項１】
電動送風機を内蔵した駆動装置と、前記駆動装置に着脱可能に装着される集塵装置とを有する掃除機本体を備え、  前記集塵装置は、ダストカップと、前記ダストカップに着脱可能に装着される連動機構とを備え、  前記連動機構は、前記ダストカップの軸心方向に往復動可能に取り付けられたハンドル部と、前記ハンドル部の前記軸心方向の往復動作によって揺動するロック爪とを有し、  前記駆動装置は、前記集塵装置が装着される集塵装置装着部と、前記集塵装置装着部に設けられた係合凹部とを有し、  前記集塵装置装着部に装着された前記集塵装置の前記ロック爪に前記係合凹部が係合し、前記ハンドル部を前記軸心方向に引くことによって前記ロック爪が揺動して前記係合凹部から離脱するように構成されたことを特徴とする電気掃除機。
【請求項２】
前記集塵装置は、前記ダストカップに着脱可能に装着されるフィルター本体を有するフィルターユニットと、前記フィルターユニットを覆うように着脱可能に取り付けられるフィルターカバーとをさらに有し、  前記連動機構は、前記ダストカップの軸心方向に往復動可能に前記フィルターカバーに取り付けられた前記ハンドル部と、前記ハンドル部の前記軸心を中心とする回動動作によって前記フィルター本体を除塵する除塵部をさらに有する請求項１に記載の電気掃除機。
【請求項３】
前記ダストカップが前記フィルターユニットを装着する装着口を有し、  前記フィルターユニットが、前記ダストカップの前記装着口に着脱可能に装着される空気流通孔を有するカップ部と、前記カップ部における前記空気流通孔の空気流下流側に着脱可能に取り付けられる前記フィルター本体と、前記カップ部における前記空気流通孔の空気流上流側に取り付けられる円筒形のメッシュ部とを有し、  前記連動機構は、前記ハンドル部および前記除塵部と連結しかつ前記フィルター本体を気密に貫通する軸部と、前記カップ部内における前記軸部の先端に設けられた突起部と、回動する前記突起部に当接して回動するよう前記メッシュ部内に回動可能に設けられた内側円筒枠部と、回動する前記内側円筒枠部に当接して回動するよう前記メッシュ部の外周面に沿って回動可能に設けられた外側円筒枠部とを有する請求項１または２に記載の電気掃除機。
【請求項４】
前記ダストカップ内で回動可能なように前記外側円筒枠部に分離可能に連結される螺旋圧縮部をさらに有し、  前記内側円筒枠部は、前記突起部と当接可能な上部突起を有し、  前記軸部の回動時に前記内側円筒枠部に過負荷がかかると前記突起部が前記上部突起を摺動するように構成された請求項３に記載の電気掃除機。
【請求項５】
前記ダストカップ内で回動可能なように前記外側円筒枠部に分離可能に連結される螺旋圧縮部をさらに有し、  前記軸部は、前記ハンドル部と前記除塵部との間の連結を解除可能として相互に噛合する第１ギアおよび第２ギアを有し、  前記軸部の回動時に前記内側円筒枠部に過負荷がかかると前記第１ギアと第２ギアとの噛合が外れて相対的に空転するように構成された請求項３に記載の電気掃除機。
【請求項６】
前記ダストカップが空気流入口を有すると共に、前記フィルターカバーが空気排出口を有し、  前記集塵装置装着部は、前後方向に延びる凹形に形成されると共に、前記集塵装置装着部に横倒し状態で装着された前記集塵装置の前記空気流入口および前記空気排出口と気密に接続される空気導出口および空気導入口を有する請求項１〜５のいずれか１つに記載の電気掃除機。
【請求項７】
前記集塵装置において、前記ロック爪は前記フィルターカバーにおける前記空気排出口の左右両側に一対設けられ、  前記駆動装置において、前記係合凹部は前記集塵装置装着部の前記空気流入口の左右両側に一対設けられている請求項６に記載の電気掃除機。
【発明の詳細な説明】
【技術分野】
【０００１】  本発明は、電気掃除機に関する。
【背景技術】
【０００２】  従来の電気掃除機として、特許文献１には、掃除機本体と、掃除機本体に着脱可能に接続される基端部を有する可撓性ホースと、可撓性ホースの先端部側に設けられたハンドルおよび操作部と、可撓性ハンドルの先端部と着脱可能に接続される基端部を有する延長パイプと、延長パイプの先端部に着脱可能に接続される吸込口体とを供えたキャニスター型の電気掃除機が開示されている。【０００３】  特許文献１の電気掃除機において、掃除機本体は、電動送風機および商用電源と接続可能なコードリールを内蔵する駆動装置と、駆動装置に着脱可能に装着されるサイクロン方式の集塵装置とを備えている。【０００４】  駆動装置は、集塵装置を上下方向に着脱させる上方開口凹形の装着部および可撓性ホースの基端部と接続可能な接続口を有する筐体と、筐体に回転可能に設けられた車輪とを備え、電動送風機およびコードリールは筐体内における装着部よりも後方に配置されている。  また、筐体の装着部には集塵装置の後述する空気流入口および空気排出口と接続可能な空気導出口および空気導入口が設けられると共に、筐体の後部には排気口が設けられている。【０００５】  集塵装置は、前記空気流入口および装着口を有するダストカップと、ダストカップの装着口に着脱可能に装着されるフィルター本体を有するフィルターユニットと、フィルターユニットを覆うように着脱可能に取り付けられる空気排出口を有するフィルターカバーと、フィルターカバーに取り付けられた連動機構とを備える。【０００６】  フィルターユニットは、ダストカップの装着口に着脱可能に装着される空気流通孔を有するカップ部と、カップ部における空気流通孔の空気流下流側に着脱可能に取り付けられるフィルター本体と、カップ部における空気流通孔の空気流上流側に取り付けられる円筒形のメッシュ部とを有する。【０００７】  連動機構は、ダストカップの装着口に対する垂直方向の軸心を中心に回動可能にフィルターカバーに取り付けられたハンドル部と、ハンドル部の軸心を中心とする回動動作によってフィルター本体を除塵する除塵部と、ハンドル部および除塵部と連結しかつフィルター本体を気密に貫通する軸部と、カップ部内における軸部の先端に設けられた突起部と、回動する前記突起部に当接して回動するようメッシュ部内に回動可能に設けられた円筒枠部と、回動する円筒枠部に当接しハンドル部の軸心を中心とする回動動作によってダストカップ内のダストを圧縮する螺旋圧縮部とを備える。【０００８】  このように構成された特許文献１の電気掃除機による清掃時、電動送風機を駆動させることにより、ダストを含む空気が吸込口体から延長パイプおよび可撓性ホースを介して掃除機本体のダストカップ内に流入し、比較的大きなダストはダストカップ内で捕捉され、微細なダストを含む空気はメッシュ部を通過してフィルター本体へ向かう。そして、フィルター本体にて微細なダストが捕捉され、フィルター本体を通過して清浄化された空気は駆動装置内の電動送風機を通過して排気口から外部に排出される。【０００９】  清掃後、ハンドルを回動することにより、回動する除塵部がフィルター本体に摺動してフィルター本体を振動させて塵埃をダストカップ内へ落下させると共に、螺旋圧縮部が回動してダストカップ内の底部に溜まったダストを圧縮させることができる。【００１０】  また、集塵装置と駆動装置との間にはロック機構が設けられている。  このロック機構は、集塵装置のフィルターカバーに設けられたロック解除ボタンと、フィルターカバーの外周部に設けられた爪部と、爪部を外方へ付勢するようフィルターカバーに設けられたスプリングと、駆動装置の装着部に設けられた爪部と係脱可能な係止凹部とを有する。【００１１】  集塵装置を駆動装置へ装着した状態においては、爪部が係止凹部に係止したロック状態となっている。  集塵装置を駆動装置から取り外す際は、ロック解除ボタンを押して爪部を係止凹部から離脱させてロックを解除し、その状態でハンドルを引き上げて集塵装置を駆動装置から取り外す。
【先行技術文献】
【特許文献】
【００１２】
【特許文献１】特開２０１０−８１９６２号公報
【発明の概要】
【発明が解決しようとする課題】
【００１３】  特許文献１の電気掃除機では、駆動装置から集塵装置を取り外す際、使用者は、ロック解除ボタンを押してロックを解除し、ロック解除ボタンを押したままハンドルを引き上げるという２ステップの動作が必要であった。また、片手でロック解除ボタンを押したままハンドルを引き上げるという動作を行うことが難しい使用者の場合は、一方の手でロック解除ボタンを押しつつ他方の手でハンドルを引き上げるという両手を使った動作をとる必要があった。【００１４】  また、特許文献１の電気掃除機では、メッシュ部の外周面に付着したダストを（塵埃、髪の毛、糸屑等）を使用者が手で取り払う必要があった。  さらに、螺旋圧縮部に過度な負荷がかかるまで使用者がハンドルを回して破損させるおそれがあった。換言すると、螺旋圧縮部に過負荷がかかっていることを使用者に認識させ、かつ連動機構の破損を回避するように構成されてはいない。【００１５】  本発明は、このような課題に鑑みなされたものであり、集塵装置のメンテナンス時にかかる使用者への負担を軽減することができる電気掃除機を提供することを目的とする。
【課題を解決するための手段】
【００１６】  かくして、本発明によれば、電動送風機を内蔵した駆動装置と、前記駆動装置に着脱可能に装着される集塵装置とを有する掃除機本体を備え、  前記集塵装置は、ダストカップと、前記ダストカップに着脱可能に装着される連動機構とを備え、  前記連動機構は、前記ダストカップの軸心方向に往復動可能に取り付けられたハンドル部と、前記ハンドル部の前記軸心方向の往復動作によって揺動するロック爪とを有し、  前記駆動装置は、前記集塵装置が装着される集塵装置装着部と、前記集塵装置装着部に設けられた係合凹部とを有し、  前記集塵装置装着部に装着された前記集塵装置の前記ロック爪に前記係合凹部が係合し、前記ハンドル部を前記軸心方向に引くことによって前記ロック爪が揺動して前記係合凹部から離脱するように構成された電気掃除機が提供される。
【発明の効果】
【００１７】  本発明の電気掃除機によれば、ハンドル部を引っ張ると駆動装置に装着された集塵装置のロックが解除するため、ハンドル部を引き上げるという１ステップの動作で駆動装置から集塵装置を取り外すことができる。  そのため、従来の電気掃除機においては片手でロック解除ボタンを押したままハンドルを引き上げるという動作を行うことが難しいという使用者でも、片手で簡単に駆動装置から集塵装置を取り外すことができる。  このように、本発明によれば、集塵装置をメンテナンスする際の使用者の負担を軽減することができる。  さらに、本発明によれば、駆動装置に装着された集塵装置のロック状態の解除を連動機構によって行うことができるため、ロック解除ボタンといった部材を別途設ける必要がなくなり、集塵装置の部品点数の削減、組み立て作業の効率化および軽量化を図ることができる。
【図面の簡単な説明】
【００１８】
【図１】本発明の電気掃除機における掃除機本体の実施形態１であって（Ａ）は左前方から視た斜視図、（Ｂ）は左後方から視た斜視図である。
【図２】実施形態１の掃除機本体の左側断面図である。
【図３】実施形態１における駆動装置からバッテリーを取り外した状態を示す斜視図である。
【図４】実施形態１における駆動装置から集塵装置を取り外した状態を示す斜視図である。
【図５】実施形態１における駆動装置を左側上方から視た斜視図である。
【図６】実施形態１における集塵装置であって（Ａ）は右側前方から視た斜視図、（Ｂ）は左側後方から視た斜視図である。
【図７】実施形態１における集塵装置の右側断面図である。
【図８】実施形態１における集塵装置のフィルターカバーを開いた状態を示す斜視図である。
【図９】実施形態１における集塵装置のダストカップを取り外した状態を示す斜視図である。
【図１０】実施形態１における集塵装置の分解斜視図である。
【図１１】実施形態１における集塵装置のフィルターカバーおよび連動機構の上部の構成部品を示す分解斜視図である。
【図１２】実施形態１における集塵装置のフィルターユニットの上部および連動機構の中間部の構成部品を示す分解斜視図である。
【図１３】実施形態１における集塵装置のフィルターユニットの下部および連動機構の下部の構成部品を示す分解斜視図である。
【図１４】実施形態１における集塵装置のダストカップの構成部品を示す分解斜視図である。
【発明を実施するための形態】
【００１９】（実施形態１）  図１は本発明の電気掃除機における掃除機本体の実施形態１であって（Ａ）は左前方から視た斜視図、（Ｂ）は左後方から視た斜視図である。また、図２は実施形態１の掃除機本体の左側断面図であり、図３は実施形態１における駆動装置からバッテリーを取り外した状態を示す斜視図である。また、図４は実施形態１における駆動装置から集塵装置を取り外した状態を示す斜視図であり、図５は実施形態１における駆動装置を左側上方から視た斜視図である。
【００２０】  図１〜図５に示すように、本発明の電気掃除機は、電動送風機３０を内蔵した駆動装置１０と、駆動装置１０に着脱可能に装着される集塵装置５０とを有する掃除機本体１を備え、掃除機本体１には、図示しないハンドルおよび操作部を有する可撓性ホース、延長パイプおよび吸込口体が接続される。  なお、本発明の電気掃除機は掃除機本体１に特徴を有するため、以下では主に掃除機本体１について説明する。
【００２１】＜駆動装置の構成＞  掃除機本体１において、駆動装置１０は、集塵装置５０を横倒し状態で上下方向に着脱させる上方開口凹形の集塵装置装着部１２およびバッテリー２０を上下方向に着脱させる上方開口凹形のバッテリー装着部１３を有する筐体１１と、筐体１１の内部に設けられた前記電動送風機３０と、筐体１１に回転可能に設けられた左右一対の車輪１５および前輪１６とを備える。
【００２２】  筐体１１は、平面的に視て長円形の上端縁を有し、その上端縁の前部が平面視Ｕ形のハンドル部１１ａとなっている。また、筐体１１の上端縁におけるハンドル部１１ａと反対側の後部には上方開口凹形のバッテリー装着部１３が設けられ、バッテリー装着部１３の前方には集塵装置５０の底部を保持する保持板１４が立設され、保持板１４とハンドル部１１ａとの間が前後方向に延びる凹形の前記集塵装置装着部１２となっている。なお、保持板１４および筐体１１の内部には、電動送風機３０とリード線を介して電気的に接続される回路基板３１が設けられている。
【００２３】  また、筐体１１は、図示しない可撓性ホースの基端部と接続可能な接続口１１ｂをハンドル部１１ａの下方かつ集塵装置装着部１２の前方に有し、集塵装置５０の後述する空気流入口６１ｃおよび空気排出口８１ａ2と接続可能な空気導出口１１ｃおよび空気導入口１１ｄを集塵装置装着部１２の底部左後方および底部前部に有し、後壁部に排気口１１ｅを有している。  また、空気導出口１１ｃおよび空気導入口１１ｄの周囲にはそれぞれパッキンが設けられると共に、筐体１１の後壁部における排気口１１ｅの周囲３箇所には駆動装置１０を直立可能とする突起状の脚部１１ｆが設けられている。
【００２４】  駆動装置１０の内部において、接続口１１ｂと空気導出口１１ｃとの間が空気の第１流通経路１８ａとなっており、空気導入口１１ｄと電動送風機３０との間が第２流通経路１８ｂとなっており、電動送風機３０と排気口１１ｅとの間が第３流通経路１８ｃとなっている。なお、電動送風機３０は、集塵装置装着部１２の前後方向中間位置の下部（空気導出口１１ｃの横）に配置されると共に、第３流通経路１８ｃは電動送風機３０からバッテリー装着部１３の左右両側に回り込んで排気口１１ｅに達している。
【００２５】  また、図５に示すように、集塵装置装着部１２において、空気導入口１１ｄの左右両側には、集塵装置５０の後述する一対のロック爪９１ｂが係脱可能に係止する一対の係合凹部１１ｇが設けられている。
【００２６】  また、接続口１１ｂには図示しない可撓性ホースの基端部に設けられた電気配線部の凹形端子と電気的に接続可能な凸形端子１１ｂ1が設けられ、凸形端子１１ｂ1はリード線を介して回路基板３１と電気的に接続されている。
【００２７】  保持板１４の前面には集塵装置５０の底部を嵌め入れる凹部が設けられると共に、バッテリー装着部１３の前面を構成する保持板１４の後面にはバッテリーロック機構１４ａが設けられている。
【００２８】  図２と図３に示すように、バッテリーロック機構１４ａは、係止爪１４ａ1と、係止爪１４ａ1を後方へ付勢するバネ１４ａ2と、係止爪１４ａ1を前方へ移動させる押しボタン１４ａ3とを有してなる。
【００２９】  一方、バッテリー２０は、バッテリー装着部１３の前面に対面する面に設けられた切欠き凹部２１と、バッテリー装着部１３の奥部に設けられた図示しない端子と電気的に接続する図示しない電極とを有する。なお、バッテリー装着部１３の端子は、リード線を介して回路基板３１と電気的に接続されている。
【００３０】  また、バッテリー装着部１３の奥部には、バッテリー装着部１３に装着されたバッテリー２０の下端部と当接する押し上げバー１７ａと、押し上げバー１７ａを上方へ付勢するバネ１７ｂとが設けられている。
【００３１】  バッテリー２０がバッテリー装着部１３に装着された状態において、バッテリー２０の切欠き凹部２１にバッテリーロック機構１４ａの係止爪１４ａ1が係止する。これにより、バネ１７ｂの付勢力に抗して押し上げバー１７ａが押し下げられ、バッテリー２０の電極がバッテリー装着部１３の端子に電気的に接続された状態に固定される。
【００３２】  また、バッテリーロック機構１４ａの押しボタン１４ａ3を下方へ押すと、押しボタン１４ａ3の下端部が係止爪１４ａ1の傾斜面に摺接し、それによって係止爪１４ａ1が後方へ押し込まれてバッテリー２０の切欠き凹部２１から離脱する。すると、バネ１７ｂにて上方へ付勢された押し上げバー１７ａによってバッテリー２０が押し上げられる（バッテリー２０の取り出しを補助する）ため、使用者はバッテリー２０を掴んでバッテリー装着部１３から簡単に引き抜くことができる。この際、例えば、人差し指で押しボタン１４ａ3を下方へ押しながら残りの指でバッテリー２０の左右側面を挟んで持ち上げることができる、すなわち、ロック解除の操作方向とバッテリー２０の取り出し方向が相互に逆向きとなっているため、片手かつ１ステップで簡単にバッテリー２０を取り出すことができると共に、腰を屈めなくても上方から容易にバッテリー２０を引き抜くことができる。
【００３３】＜集塵装置の構成＞  図６は実施形態１における集塵装置であって（Ａ）は右側前方から視た斜視図、（Ｂ）は左側後方から視た斜視図である。また、図７は実施形態１における集塵装置の右側断面図であり、図８は実施形態１における集塵装置のフィルターカバーを開いた状態を示す斜視図である。また、図９は実施形態１における集塵装置のダストカップを取り外した状態を示す斜視図であり、図１０は実施形態１における集塵装置の分解斜視図である。
【００３４】  図６〜図１０に示すように、集塵装置５０は、前記空気流入口および装着口を有するダストカップ６０と、ダストカップ６０の装着口に着脱可能に装着されるフィルター本体を有するフィルターユニット７０と、フィルターユニット７０を覆うように着脱可能に取り付けられる前記空気排出口８１ａ2を有するフィルターカバー８０と、フィルターカバー８０に取り付けられた連動機構９０とを備える。  以下、集塵装置５０の上部構成から下部構成について順に説明する。
【００３５】［フィルターカバーおよび連動機構の上部構成］  図１１は実施形態１における集塵装置のフィルターカバーおよび連動機構の上部の構成部品を示す分解斜視図である。  図６〜図１１に示すように、フィルターカバー８０は、上下方向の円筒ボス部８１ａ1を有するカバー本体８１と、カバー本体８１にネジ８３にて取り付けられる押えカバー８２とを有する。
【００３６】  カバー本体８１の外周部の一部にはカバー本体８１の下部空間に連通する前記空気排出口８１ａ2が設けられると共に、カバー本体８１の上面側における空気排出口８１ａ2の近傍には連動機構９０のロック爪部材９１を揺動可能に取り付ける取付凹部８１ｂが設けられている。  さらに、カバー本体８１の外周部の一部には、取付凹部８１ｂの右側には軸受部８１ｃが設けられると共に、取付凹部８１ｂの左側にはロック部材８１ｄおよびバネ８１ｄ1が設けられている。なお、カバー本体８１の円筒ボス部８１ａ1の周囲は連動機構９０の後述するハンドル部９２の下端部を収納する円環状のスペースとなっている。
【００３７】  連動機構９０において、ロック爪部材９１は、板状部９１ａと、板状部９１ａの長手方向両端部に設けられたＬ形の一対の前記ロック爪９１ｂと、板状部９１ａと一対のロック爪９１ｂとの間であって前記長手方向と平行な同一軸心上に設けられた一対の軸部９１ｃと、板状部９１ａの長手方向中間部にはロック爪９１ｂとは反対側に突出した突片９１ｄとを有する。
【００３８】  連動機構９０において、ハンドル部９２は、外周面に周方向の凹周溝９２ａ1を有する円筒形のハンドル本体９２ａと、ハンドル本体９２ａの上部に取付られる蓋体９２ｂとを有し、これらはネジ９２ｃにて連結される。なお、ハンドル本体９２ａの中心孔９２ａ2の周囲には小径壁部９２ａ21が設けられており、ハンドル本体９２ａは二重壁構造となっている。
【００３９】  さらに、連動機構９０は、カバー本体８１の円筒ボス部８１ａ1に上方および下方から挿入されるパッキン９３ａ付きの第１連結軸９３および第２連結軸９４と、ハンドル本体９２ａの中心孔９２ａ2の上方から挿入されかつ第１連結軸９３を挿通させるバネ９５ａと、ハンドル本体９２ａの中心孔９２ａ2を下方から挿通した第１連結軸９３に結合するワッシャ付きネジ９５ｂと、バネ９７ａを介して第２連結軸９４にワッシャ付きネジ９７ｂにて下方から取り付けられる後述する円筒形の第１ギア９６とを有する。
【００４０】  第１連結軸９３、第２連結軸９４および第１ギア９６はワッシャ付きネジ９７ｂにて一体的に回動可能に連結している（図７）。  自由状態において、バネ９５ａはハンドル本体９２ａを下方のカバー本体８１側へ付勢しているが、ハンドル本体９２ａはバネ９５ａの付勢力に抗して上方へ移動可能となっている。  また、自由状態において、バネ９７ａは第１ギア９６を下方（ハンドル部９２と反対側）へ付勢しているが、第１ギア９６はバネ９７ａの付勢力に抗して上方（ハンドル部９２側）へ移動可能となっている。
【００４１】  連動機構９０のロック爪部材９１をフィルターカバー８０に組み付ける際、カバー本体８１の取付凹部８１ｂにロック爪部材９１を設置する。このとき、取付凹部８１ｂに設けられた左右一対のリブの上端部の半円形切欠き部８１ｅ上に、ロック爪部材９１の一対の軸部９１ｃを載せる。その後、バネ９９を介して押えカバー８２をカバー本体８１に取り付ける。
【００４２】  このように構成された連動機構９０の上部構成において、ロック爪部材９１の突片９１ｄの先端部がハンドル部９２の凹周溝９２ａ1に係止している（図７）。  自由状態において、バネ９９はロック爪部材９１をカバー本体８１側へ付勢しているが、ハンドル部９２を引き上げることによって凹周溝９２ａ1に係止した突片９１ｄが引き上げられ、それによってバネ９９の付勢力に抗して軸部９１ｃを中心にロック爪部材９１が揺動可能となっている。図７の場合、ハンドル部９２を引き上げると、ロック爪９１ｂが下方へ揺動する。
【００４３】  また、ハンドル部９２を第１および第２連結軸９３、９４を中心に回動させると、回動する凹周溝９２ａ1に対してロック爪部材９１の突片９１ｄが相対的に摺動するようになっているため、突片９１ｄによってハンドル部９２の回動が妨げられることはない。  また、ハンドル部９２を回動させると、その回動力は第１連結軸９３に伝達され、第１連結軸９３と一体に第２連結軸９４および第１ギア９６が回動する。
【００４４】  このように構成されたフィルターカバー８０および連動機構９０の上部構成によって、第１ユニットＡが構成されている（図１０）。
【００４５】［フィルターユニットの上部構成および連動機構の中間構成］  図１２は実施形態１における集塵装置のフィルターユニットの上部および連動機構の中間部の構成部品を示す分解斜視図である。  図６〜図１０および図１２に示すように、フィルターユニット７０の上部構成は、中央付近に円筒状の貫通孔７１ａを有するプリーツ形状のフィルター本体７１と、フィルター本体７１の外周部に着脱可能に装着されるパッキン７２とを有する。
【００４６】  連動機構９０の中間構成は、フィルター本体７１を除塵する除塵部１９１と、ハンドル部９２および除塵部１９１と連結しかつフィルター本体７１を気密に貫通する第３連結軸１９２と、第３連結軸１９２の先端に設けられた複数の突起部１９３とを有する。なお、第３連結軸１９２はパッキン１９４を介してフィルター本体７１の貫通孔７１ａに挿通される。
【００４７】  除塵部１９１は、フィルター本体７１の貫通孔７１ａを挿通した第３連結軸１９２の上端部にワッシャ付きネジ１９５にて連結される中心孔を有する円形枠体１９１ａと、円形枠体１９１ａに複数の取付部材１９１ｃ1、１９１ｃ2にて取り付けられる複数の摺接子１９１ｂとを有する。
【００４８】  円形枠体１９１ａには、中心孔の上端周囲部に第１ギア９６と噛合可能な第２ギア１９１ａ1が設けられると共に、中心孔を中心として周方向等間隔に３つの取付孔部１９１ａ2が設けられている。さらに、円形枠体１９１ａには、指で摘んで円形枠体１９１ａを回動させることができるよう摘み１９１ａ3が設けられている。
【００４９】  摺接子１９１ｂは、半球部の平坦面部に突起部が設けられた弾性部材である。  取付部材１９１ｃ1は、上端部に外鍔を有する円筒形の弾性部材であり、その下端部が取付孔部１９１ａ2に上方から挿入され、取付部材１９１ｃ1の下端部の孔に摺接子１９１ｂの突起部が挿入固定されている。  取付部材１９１ｃ2は、取付孔部１９１ａ2に上方から取り付けられて取付部材１９１ｃ1の抜け止めをする部材である。
【００５０】  第３連結軸１９２は、フィルター本体７１の取付孔部１９１ａ2に挿入される円筒形の小径部１９２ａと、小径部１９２ａの下端部に連設された大径部１９２ｂと、小径部１９２ａと大径部１９２ｂとの間に設けられた円環状凹部１９２ｃとを有し、円環状凹部１９２ｃ内にリング状のパッキン１９４が圧入されている。
【００５１】  このように構成されたフィルターユニット７０の上部構成および連動機構９０の中間構成によって、第２ユニットＢが構成されている（図１０）。
【００５２】［フィルターユニットの下部構成および連動機構の下部構成］  図１３は実施形態１における集塵装置のフィルターユニットの下部および連動機構の下部の構成部品を示す分解斜視図である。
【００５３】  図６〜図１０および図１３に示すように、フィルターユニット７０の下部構成は、後述するダストカップ６０の装着口６１ａ（図１０）に着脱可能に装着される空気流通孔７３ａ（図７）を有するカップ部７３と、カップ部７３における空気流通孔７３ａの空気流上流側にパッキン７５を介してネジ７６にて取り付けられる円筒形のメッシュ部７４とを有し、カップ部７３における空気流通孔７３ａの空気流下流側の開口部７３ａ1に前記フィルター本体７１がパッキン７２を介して着脱可能に取り付けられる。
【００５４】  カップ部７３は、開口部７３ａ1の外周部の一部に、フィルターカバー８０の軸受部８１ｃ（図１０）に回動可能に嵌り込む軸部７３ｂが設けられている。なお、軸受部８１ｃに軸部７３ｂが嵌り込むことによりヒンジ部が構成される。  また、カップ部７３は、開口部７３ａ1の外周部における軸部８１ｃとは反対側には、フィルターカバー８０のロック部材８１ｄと係脱可能に係止する係止凸部７３ｄが設けられている。
【００５５】  さらに、カップ部７３の下部外周面の２箇所には係合溝７３ｃが設けられており、カップ部７３をダストカップ６０の装着口６１ａに嵌め込んで周方向に回動することにより、カップ部７３の後述する係合溝６１ｄ（図１０）にカップ部７３の係合溝７３ｃが係脱可能に係合する。
【００５６】  メッシュ部７４は、円筒形のメッシュ本体７４ａと、メッシュ本体７４ａを保持する円筒形の保持枠体７４ｂとを有する。  保持枠体７４ｂ（図１３）は、カップ部７３に取り付けられるすり鉢形の上部７４ｂ1と、上部７４ｂ1の下端部に連設される中間部７４ｂ2と、中間部７４ｂ2の下端部に連設される複数のスリットを有する下部７４ｂ3とを有し、上部７４ｂ1にネジ７６の取付部７４ｂ11が設けられている。
【００５７】  連動機構の下部構成は、回動する前記突起部１９３（図１０）に当接して回動するようメッシュ部７４内に回動可能に設けられた内側円筒枠部２９１と、回動する内側円筒枠部２９１に当接して回動するようメッシュ部７４の外周面に沿って回動可能に設けられた外側円筒枠部２９２と、ダストカップ６０内で回動可能なように外側円筒枠部２９２に分離可能に連結される螺旋圧縮部２９３とを有する。
【００５８】  内側円筒枠部２９１は、その上端部に設けられた複数の上部突起２９１ａと、下端部に設けられた複数の下部突起２９１ｂとを有している。  外側円筒枠部２９２は、メッシュ部７４のメッシュ本体７４ａの外面を摺動可能な摺動枠部２９２ａと、摺動枠部２９２ａの下端部に連設された鍔部２９２ｂと、鍔部２９２ｂに設けられた複数の突起部２９２ｃとを有する。
【００５９】  外側円筒枠部２９２において、鍔部２９２ｂの幅は外側円筒枠部２９２の内側から外側に亘る幅であり、鍔部２９２ｂの内周部に複数の突起部２９２ｃが上方へ突出している。これらの突起部２９２ｃは、連動機構の下部構成を組み立てた際に内側円筒枠部２９１の複数の下部突起２９１ｂと当接するように構成されている。
【００６０】  螺旋圧縮部２９３は、外側円筒枠部２９２の下端部を収納する大径円筒部２９３ａと、大径円筒部２９３ａに連設された小径円筒部２９３ｂと、大径円筒部２９３ａと小径円筒部２９３ｂの外周面に連続的に設けられた２つの螺旋羽根部２９３ｃとを有する。なお、２つの螺旋羽根部２９３ｃによって二重螺旋を構成しており、それらの下面には複数の小突起２９３ｃ1が設けられている。
【００６１】  連動機構の下部構成を組み立てた際、外側円筒枠部２９２の鍔部２９２ｂは、大径円筒部２９３ａと小径円筒部２９３ｂとの間の段部にて支持され、かつ大径円筒部２９３ａの内周面に圧接する。これにより、螺旋圧縮部２９３は外側円筒枠部２９２と一体的に回動可能となっている。
【００６２】［ダストカップ］  図１４は実施形態１における集塵装置のダストカップの構成部品を示す分解斜視図である。  図６〜図１０および図１４に示すように、ダストカップ６０は、装着口６１ａおよび底部開口部６１ｂを有する円筒外周壁部６１と、円筒外周壁部６１の底部開口部６１ｂにヒンジ部６３を介して開閉可能に取り付けられた底蓋部６２とを有する。
【００６３】  円筒外周壁部６１は、その外周壁の一部に設けられた空気流入口６１ｃと、装着口６１ａの開口端縁に沿った２箇所に設けられた係合溝６１ｄと、底部開口部６１ｂに設けられた前記ヒンジ部６３を構成する軸受部６３ａと、底部開口部６１ｂにおけるヒンジ部６３とは反対側に設けられたロック部６４とを有する。
【００６４】  ロック部６４は、円筒外周壁部６１の底部開口部６１ｂの外周面にネジ６４ａにて固定される固定部材６４ｂと、固定部材６４ｂと底部開口部６１ｂの外周面との間に周方向スライド可能に取り付けられた係止爪６４ｃ1を有する操作部材６４ｃと、操作部材６４ｃと固定部材６４ｂとの間に設けられて操作部材６４ｃを一周方向へ付勢するバネ６４ｄとを有する。
【００６５】  凹皿形の底蓋部６２は、円筒外周壁部６１と接合する開口端縁に沿って設けられたパッキン６５を嵌め入れる円環溝６２ａと、開口端縁の外周面の一部に設けられたヒンジ部６３を構成する軸部６３ｂと、開口端縁の外周面における軸部６３ｂとは反対側に設けられた係止凸部６２ｂと、底面中央に設けられて小パッキン６６を保持する凸部６２ｃとを有する。
【００６６】  底蓋部６２の軸部６３ｂが円筒外周壁部６１の軸受部６３ａに取り付けられ、底蓋部６２の係止凸部６２ｂが円筒外周壁部６１のロック部６４の係止爪６４ｃ1に係止することにより、ダストカップ６０の底が閉じた状態となり、バネ６４ｄの付勢力に抗して係止凸部６２から係止爪６４ｃ1が離脱する方向に操作部材６４ｃを押すと底が開く。また、底蓋部６２を閉じれば係止凸部６２ｂが係止爪６４ｃ1に係止し、バネ６４ｄの付勢力によって閉状態が維持される。
【００６７】［掃除機本体の動作および集塵装置のメンテナンスについて］  図１と図２に示すように、本発明の電気掃除機の掃除機本体１は、清掃時には、図示しないハンドルおよび操作部を有する可撓性ホース、延長パイプおよび吸込口体が接続される。  操作部にて電源をＯＮにすると、電動送風機３０が駆動し、被清掃面上のダストを空気と共に吸い込んで清掃する。吸込口体に吸い込まれたダストを含む空気は、延長パイプおよび可撓性ホースを介して掃除機本体１内に吸引される。
【００６８】  以下、図１〜図１０を参照しながら掃除機本体１内における空気の流れを説明する。なお、空気の流れは、図２中の矢印Ｆ1〜Ｆ10の順となっている。  ダストを含む空気は、まず、駆動装置１０の接続口１１ｂに流入し（矢印Ｆ1）、接続口１１ｂと空気導出口１１ｃの間の第１流通経路１８ａを通り（矢印Ｆ2）、集塵装置５０のダストカップ６０の空気流入口６１ｃに流入する（矢印Ｆ3）。
【００６９】  ダストカップ６０内に流入したダストを含む空気は、ダストカップ６０内を旋回し、この間に比較的大きなダストは遠心力によりダストカップ６０の内周面側を旋回し、微細なダストを含む空気はメッシュ部７４へ向かう（矢印Ｆ4）。これにより、比較的大きなダストはダストカップ６０内に捕捉される。
【００７０】  メッシュ部７４を通過した微細なダストを含む空気は、フィルターユニット７０のカップ部７３内に流入し（矢印Ｆ5）、微細なダストはフィルター本体７１にて捕捉され、微細なダストが除去され清浄化された空気はフィルター本体７１を通過してフィルターカバー８０内に流入し、フィルターカバー８０の空気排出口８１ａ2から駆動装置１０の空気導入口１１ｄへ向かう（矢印Ｆ6）。
【００７１】  駆動装置１０内に流入した清浄化された空気は、空気導入口１１ｄと電動送風機３０との間の第３流通経路１８ｂを通り（矢印Ｆ7）、電動送風機３０を通過し、電動送風機３０と排気口１１ｅとの間の第３流通経路１８ｃを通り（矢印Ｆ8、Ｆ9）、排気口１１ｅから外部に排出される（矢印Ｆ10）。
【００７２】  次に、清掃後の集塵装置５０のメンテナンスについて説明する。  集塵装置５０のフィルター本体７１とメッシュ部７４の除塵およびダストカップ６０内に溜まったダストの圧縮は、連動機構９０のハンドル部９２を所定方向に回すことにより同時に行われる。この際、除塵および圧縮は、集塵装置５０を駆動装置１０に装着したままの状態でも行われるが、適切な除塵および圧縮は、集塵装置５０を駆動装置１０から取り外し、集塵装置５０を立てた状態で行うことが望ましい。  以下、駆動装置１０から集塵装置５０を取り外して行う除塵および圧縮について説明する。
【００７３】  まず、駆動装置１０に装着された集塵装置５０を取り外す際は、集塵装置５０のハンドル部９２を手で掴んで引っ張ることにより、駆動装置１０の一対の係合凹部１１ｇに係合した集塵装置５０の一対のロック爪９１ｂが揺動して各係合凹部１１ｇから離脱するため、使用者はハンドル部９２を引き上げる１ステップの動作で集塵装置５０を取り外すことができる。ハンドル部９２のハンドル本体９２ａを手で掴みやすいように円筒形状の直径が下方に向かうにつれて小さくなっている。これにより、手で掴みやすいように凸部が形成されている。
【００７４】  駆動装置１０から取り外した集塵装置５０を、床面などの安定した面上に立てた状態で載置し、ハンドル部９２の蓋体９２ｂの平坦面に示された矢印の方向にハンドル部９２を回す（図１（Ａ））。これにより、連動機構９０全体が回転する。  すなわち、ハンドル部９２が回転することにより、ハンドル部９２と連結した第１連結軸９３、第２連結軸９４および第１ギア９６が回転し、第１ギア９６と噛合した第２ギア１９１ａ1を有する除塵部１９１の円形枠体１９１ａが回転し、各摺接子１９１ｂが回転しながらプリーツ形状のフィルター本体７１の上面側を摺接する。
【００７５】  これによりフィルター本体７１が振動し、下面側に付着した微細なダストが螺旋圧縮部２９３の内部スペースに落下し、フィルター本体７１の除塵が行われる。  なお、ハンドル部９２を回さずにフィルター本体７１を除塵することもできる。この場合、図８に示すように、ロック部８１ｄを押して係止凸部７３ｄからロック部８１ｄを離脱させてロックを解除し、第１ユニットＡを開け、除塵部１９１の摘み１９１ａ3を回すことによって円形枠体１９１ａを回してフィルター本体７１を除塵する。その後、第１ユニットＡを閉じると、第１ギア９６が第２ギア１９１ａ1に再度噛合する。
【００７６】  円形枠体１９１ａが回転することにより、円形枠体１９１ａと連結した第３連結軸１９２および複数の突起部１９３が回転する。すると、回転する複数の突起部１９３に内側円筒枠部２９１の複数の上部突起２９１ａが当接し、これにより内側円筒枠部２９１が回転し、内側円筒枠部２９１と連結した外側円筒枠部２９２および螺旋圧縮部２９３が回転する。  外側円筒枠部２９２が回転することにより、メッシュ部７４のメッシュ本体７４ａの外面に付着したダストを拭い取って落下させる。これにより、メッシュ部７４の除塵が行われる。  また、螺旋圧縮部２９３が回転することにより、ダストカップ６０内の底部に溜まったダストが螺旋羽根部２９３ｃによって圧縮される。この際、螺旋羽根部２９３ｃの下面の複数の小突起２９３ｃ１によってダストの塊を形成して効果的に圧縮することができる。
【００７７】  ダストカップ６０内に多量のダストが溜まり、溜まったダストが限界まで圧縮されると、ダストの塊によって螺旋圧縮部２９３が回転しにくくなり、連動機構９０全体に過負荷がかかって破損するおそれがある。そのため、連動機構９０に過負荷がかかると、第２連結軸１９２の複数の突起部１９３が内側円筒枠部２９１の複数の上部突起２９１ａを乗り越えるように摺接し、連動機構９０における第２連結軸部１９２からハンドル部９２までの間が空回りするようになっている。  これにより、内側円筒枠部２９１、外側円筒枠部２９２および螺旋圧縮部２９３には回転力が伝わらなくなり、連動機構９０の破損が防止される。なお、第２連結軸部１９２からハンドル部９２までの間が空回りすることにより、フィルター本体７１の除塵は行われる。
【００７８】  また、前記のような連動機構９０の空回りは「ガタガタ」といった音および振動を発生させるため、ダストカップ６０内のダストが満杯であることを使用者に認識させ圧縮操作をストップさせることができると共に、ダストカップ６０内のダストの廃棄時期であることを使用者に認識させることができる。  ダストカップ６０内のダストを廃棄する際は、ロック部６４の操作部材６４ｃを押すことにより底蓋部６２が開き、ダストカップ６０内のダストが落下して廃棄される。
【００７９】  また、集塵装置５０は次のようにして分解洗浄することができる。  まず、図９に示すように、第１、第２および第３ユニットＡ、Ｂ、Ｃが結合したユニット体Ｘからダストカップ６０を回して取り外した後、図１０に示すように、第１、第２および第３ユニットＡ、Ｂ、Ｃを分解し、第２、第３ユニットＢ、Ｃおよびダストカップ６０をそれぞれ水洗いする。  この際、第３ユニットＣは、図１３に示すように、さらに各部品に分解することができるため、各部品を隅々まできれいに洗浄することができる。なお、メッシュ部７４はパッキン７５を介してカップ部７３とネジ７６にて結合しているため、これらの分解は推奨されない。
【００８０】（実施形態２）  実施形態２の掃除機本体は、集塵装置の連動機構が実施形態１とは異なる以外は、実施形態１と同様に構成される。  以下、実施形態２における実施形態１とは異なる点を主に説明する。
【００８１】  実施形態１では、連動機構９０の螺旋圧縮部２９３に過負荷がかかると、第３連結軸１９２の複数の突起部１９３が内側円筒枠部２９１の複数の上部突起２９１ａを乗り越えるように摺接して空回りするため、連動機構９０の破損が防止されるように構成された場合を例示した。
【００８２】  これに対して、実施形態２では、連動機構９０の螺旋圧縮部２９３に過負荷がかかると、第２ギア１９１ａ1から第１ギア９６が外れて空回りするため、連動機構９０の破損が防止されるように構成される。この場合、第１および第２ギア９６、１９１ａ1は所定の負荷以上で噛合が外れるように設計される。また、螺旋圧縮部２９３に過負荷がかかっても第３連結軸１９２の複数の突起部１９３が内側円筒枠部２９１の複数の上部突起２９１ａを乗り越えて空転しないように構成される。
【００８３】（実施形態３）  実施形態１では、駆動装置１０にバッテリー２０が着脱可能に装着される場合を例示したが、実施形態３では、バッテリーの代わりに、商用電源に接続可能なプラグを有するコードリールが駆動装置の後部に設けられる。
【００８４】（まとめ）  本発明の電気掃除機は、電動送風機を内蔵した駆動装置と、前記駆動装置に着脱可能に装着される集塵装置とを有する掃除機本体を備え、  前記集塵装置は、ダストカップと、前記ダストカップに着脱可能に装着される連動機構とを備え、  前記連動機構は、前記ダストカップの軸心方向に往復動可能に取り付けられたハンドル部と、前記ハンドル部の前記軸心方向の往復動作によって揺動するロック爪とを有し、  前記駆動装置は、前記集塵装置が装着される集塵装置装着部と、前記集塵装置装着部に設けられた係合凹部とを有し、 前記集塵装置装着部に装着された前記集塵装置の前記ロック爪に前記係合凹部が係合し、前記ハンドル部を前記軸心方向に引くことによって前記ロック爪が揺動して前記係合凹部から離脱するように構成されている。
【００８５】 本発明の電気掃除機は、次のように構成されてもよく、それらが適宜組み合わされてもよい。（１）前記集塵装置は、前記ダストカップに着脱可能に装着されるフィルター本体を有するフィルターユニットと、前記フィルターユニットを覆うように着脱可能に取り付けられるフィルターカバーとをさらに有し、 前記連動機構は、前記ダストカップの軸心方向に往復動可能に前記フィルターカバーに取り付けられた前記ハンドル部と、前記ハンドル部の前記軸心を中心とする回動動作によって前記フィルター本体を除塵する除塵部をさらに有してもよい。 この構成によれば、ハンドル部を回動させてフィルター本体の除塵を行うことができるため、掃除終了毎にフィルター本体を取り外して清掃する手間を省くことができ、かつ次回の清掃時にフィルター本体が目詰まりして吸引力が低下するのを抑制することができる。 また、連動機構のハンドルの回動操作によって除塵部を操作するよう構成されるため、除塵部を操作するための部材を別途設ける必要がなく、集塵装置の部品点数の削減、組み立て作業の効率化および軽量化を図ることができる。
【００８６】（２）前記ダストカップが前記フィルターユニットを装着する装着口を有し、  前記フィルターユニットが、前記ダストカップの前記装着口に着脱可能に装着される空気流通孔を有するカップ部と、前記カップ部における前記空気流通孔の空気流下流側に着脱可能に取り付けられる前記フィルター本体と、前記カップ部における前記空気流通孔の空気流上流側に取り付けられる円筒形のメッシュ部とを有し、  前記連動機構は、前記ハンドル部および前記除塵部と連結しかつ前記フィルター本体を気密に貫通する軸部と、前記カップ部内における前記軸部の先端に設けられた突起部と、回動する前記突起部に当接して回動するよう前記メッシュ部内に回動可能に設けられた内側円筒枠部と、回動する前記内側円筒枠部に当接して回動するよう前記メッシュ部の外周面に沿って回動可能に設けられた外側円筒枠部とを有してもよい。  この構成によれば、ハンドル部を回動させることにより、フィルター本体の除塵と同時に、回動する外側円筒枠部によってメッシュ部の外周面に付着したダストを除去することができるため、メンテナンス時の使用者の負担をより軽減することができる。
【００８７】（３）前記ダストカップ内で回動可能なように前記外側円筒枠部に分離可能に連結される螺旋圧縮部をさらに有し、  前記内側円筒枠部は、前記突起部と当接可能な上部突起を有し、  前記軸部の回動時に前記内側円筒枠部に過負荷がかかると前記突起部が前記上部突起を摺動するように構成されてもよい。  この構成によれば、回動する螺旋圧縮部によってダストカップ内のダストを圧縮することができるため、ダストカップ内に溜まったダストの廃棄回数を減らすことができ、これによってもメンテナンス時の使用者の負担をより軽減することができる。  また、ダストの圧縮が限界となって螺旋圧縮部に過負荷がかかると、軸部の突起部が内側円筒枠部の上部突起を摺動し、これにより軸部が空回りして連動機構の破損を防止することができる。この際、第１軸部が空回りすることにより使用者は螺旋圧縮部に過負荷がかかっていることを認識して圧縮操作をストップすることができる。さらに、軸部が空回りしても除塵部は回動するため、螺旋圧縮部が停止していてもフィルター本体の除塵を行うことができる。
【００８８】（４）前記ダストカップ内で回動可能なように前記外側円筒枠部に分離可能に連結される螺旋圧縮部をさらに有し、  前記軸部は、前記ハンドル部と前記除塵部との間の連結を解除可能として相互に噛合する第１ギアおよび第２ギアを有し、  前記軸部の回動時に前記内側円筒枠部に過負荷がかかると前記第１ギアと第２ギアとの噛合が外れて相対的に空転するように構成されてもよい。  この構成によれば、前記（２）と同様に、回動する螺旋圧縮部によってダストカップ内のダストを圧縮することができるため、ダストカップ内に溜まったダストの廃棄回数を減らすことができ、これによってもメンテナンス時の使用者の負担をより軽減することができる。  また、ダストの圧縮が限界となって螺旋圧縮部に過負荷がかかると、軸部の第１ギアが第２ギアから外れて空回りするため、連動機構の破損を防止することができる。この際、第１ギアが空回りすることにより使用者は螺旋圧縮部に過負荷がかかっていることを認識して圧縮操作をストップすることができる。
【００８９】（５）前記ダストカップが空気流入口を有すると共に、前記フィルターカバーが空気排出口を有し、  前記集塵装置装着部は、前後方向に延びる凹形に形成されると共に、前記集塵装置装着部に横倒し状態で装着された前記集塵装置の前記空気流入口および前記空気排出口と気密に接続される空気導出口および空気導入口を有してもよい。  この構成によれば、集塵装置を駆動装置に横倒し状態で装着することができるため、駆動装置における集塵装置装着部の下部に電動送風機を配置することが可能となる。この結果、掃除機本体の重心が前後方向中間の低い位置となり、清掃時の掃除機本体の走行が安定し、転倒しにくくなる。
【００９０】（６）前記集塵装置において、前記ロック爪は前記フィルターカバーにおける前記空気排出口の左右両側に一対設けられ、  前記駆動装置において、前記係合凹部は前記集塵装置装着部の前記空気流入口の左右両側に一対設けられてもよい。  この構成によれば、駆動装置と集塵装置との空気流通経路の接続側にロック機構が設けられるため、気密性が高められて好都合となる。
【００９１】（７）前記駆動装置は、バッテリーと、前記バッテリーを着脱可能に装着させるバッテリー装着部とを有し、  前記バッテリー装着部は、前記集塵装置装着部の後方に上方開口凹形に形成されてもよい。  この構成によれば、掃除機本体を持ち運びながら清掃することができる、腰を屈めなくても上方からバッテリーを容易に取り出すことができる、駆動装置内における電動送風機の後方に排気口に繋がる排気流路のスペースを確保することができる、掃除機本体の前後方向の長さを抑えてコンパクト化することができるといったメリットが得られる。
【００９２】（８）前記メッシュ部と内側円筒枠部と前記外側円筒枠部とが分離可能に構成されてもよい。  この構成によれば、メッシュ部の外周面と内周面をきれいに洗浄することができる。
【００９３】  なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００９４】  １  掃除機本体  １０  駆動装置  １１ｃ  空気導出口  １１ｄ  空気導入口  １１ｇ  係合凹部  １２  集塵装置装着部  １３  バッテリー装着部  ２０  バッテリー  ３０  電動送風機  ５０  集塵装置  ６０  ダストカップ  ６１ａ  装着口  ６１ｃ  空気流入口  ７０  フィルターユニット  ７１  フィルター本体  ７３  カップ部  ７３ａ  空気流通孔  ７４  メッシュ部  ８０  フィルターカバー  ８１ａ2  空気排出口  ９０  連動機構  ９１ｂ  ロック爪  ９２  ハンドル部  ９３  第１連結軸（軸部）  ９４  第２連結軸（軸部）  ９６  第１ギア  １９１  除塵部  １９１ａ1  第２ギア  １９２  第３連結軸（軸部）  １９３  突起部  ２９１  内側円筒枠部  ２９１ａ  上部突起  ２９２  外側円筒枠部  ２９３  螺旋圧縮部
【図１】
2019026308.tif 000003
【図２】
2019026308.tif 000004
【図３】
2019026308.tif 000005
【図４】
2019026308.tif 000006
【図５】
2019026308.tif 000007
【図６】
2019026308.tif 000008
【図７】
2019026308.tif 000009
【図８】
2019026308.tif 000010
【図９】
2019026308.tif 000011
【図１０】
2019026308.tif 000012
【図１１】
2019026308.tif 000013
【図１２】
2019026308.tif 000014
【図１３】
2019026308.tif 000015
【図１４】
2019026308.tif 000016
【国際調査報告】
2019026308.tif 000017
2019026308.tif 000018
2019026308.tif 000019
2019026308.tif 000020